(57)【要約】      （修正有）【課題】過去・現在・近未来の深刻な難題は地球規模のものだけでも多数種を数え続々と限界を超えて苦境（破綻・危機・犠性・他）に陥るものもあって、人類の将来展望は難しくなる。上記問題を解決するための養護装置を提供する。【解決手段】手段１：過去〜近未来の課題の主要なものや汎用事項を明確化・認識するべき汎用分折財を開発する。２：汎用分折財は特性要因図を徹底的に標準化・定型化・多機能化し機械処理・人知処理の的確化・能率化を図る。３：特に人工知能と人知との共働作用の１手段を検討する。４：最新技術は中核とし周辺地域との連携を図る。５：汎用分折財は前開発の検討体（ＰＣＴ／ＪＰ２０１３／７６７３２）との連携を図り目標データ・関連事項の分折や近未来への対応を図る。６：汎用分折財によって明確化の可能性のある課題は検討し近未来への対応の１手段を検討する。【選択図】図７
2014123383.tif 000002
【特許請求の範囲】
【請求項１】
現在・近未来以降の課題に対抗して開発されたシステム開発（１例は検討体、必需体）や日常の一般的な汎用事項の諸分折による、一連の総合的・根源的な検討用に一般の特性要因図の徹底的な標準化を追求して構成され、全ての記載・確認の機械化を図るべく標準化・定型化された基本枠・標準欄を備え基本型・標準型やその応用型の組合せによって略全ての汎用分折が可能で、電子計算機（最新型や人工知能型）による処理を検討し機械処理及び人知処理（記載・読取・分折・検討・他）や他装置との連携・高速化・大量化・等を目標に構成された分折装置と、
望ましくは長期的に本来あるべき現在等や近未来以降の前記必需材の目標データの遂行を図るうえで必要事項の分折及び近未来の実体の分折を図るべく最新技術（最新の電子計算機・インターネット・他）に対応して構成された前記検討体等の実体装置と、を具備し、近未来以降の該課題等が次々に限界を越えて前記苦境に陥る事前に極力持続的安定を遠目標にその１手段を図ることを特徴とする養護装置。
【請求項２】
前記養護体は、前記基本枠（例えば課題枠・目標枠・項目枠）と項目線で接続されるべく（縦長）矩形の表示素材の（横）端縁に略直角で縦長方向に配置された本線と、該本線に略直角の（横長）方向に記載方向が一律に統一され機械処理及び人知処理の便宜（例えば記載・読取・分折・検討・諸取扱い・保管管理・対比・連携・品質管理・集約化・新課題探索・機械化の推進・能率化・他）を図って略統一した一律の方向に配置され徹底した標準化・定型化を可能に構成された該各枠、及び該項目枠と枝葉線で連接された標準欄（枝因欄・葉因欄）と、
基本枠・標準欄を形成用に該基本枠の側部両側に配置された略定間隔の複数の間隔点と、
を含んで構成された前記汎用分折財（標準）を備え、その応用型との組み合せによって略全ての要因の分折や特性要因図の機能を含み、多方面への汎用分折・機械化・統一化が可能に構成された分折体を有する請求項１に記載の養護装置。
【請求項３】
前記養護体は、極力徹底的に標準化・定型化・共通化・統一化・機械化・汎用化・能率化・等を追求して構成された前記汎用分拆財（基本型）と、
統一化された前記間隔点の配置・接続によって前記項目枠に記載された事項等から派生される派生事項例えば枝因・葉因等が機械的に機械記載・機械読取されるべき標準欄（枝葉欄）を備えて構成された汎用分折財（標準型）と、
該間隔点の選択された接続によって形成される項目事項が追加して記載されるべき増枠型と、
該汎用分折財（標準）の複数枚が縦方向に連接された項目枠による奥深い垂直的概念の分折が可能に構成された縦連型と、該汎用分折財（標準）の複数枚が横方向（側縁）が連接されて幅広い並列的概念の分折や例えば特性要因図の突出した異形部を標準記載用で標準形の汎用分折財（標準）の応用で対応可能な横連型と、を含む増頁型と、
を具備し、前記機械処理・人知処理の前記便宜を図りつつ、複雑かつ変化が早く広汎な現在・近未来以降の課題に備えて多方面への汎用分折・機械化・能率化が可能に構成された分折体を有する請求項１・２に記載の養護装置。
【請求項４】
前記養護体は、基本型化・標準化・定型化・汎用化された前記汎用分折財が例えば人工知能等によって機械処理されるよう所定の中核的な地域に配置された中核的な電子計算機（最新及び知能）の中核技術と、
該電子計算機（最新及び知能）と周辺の各地域とが連接されるべく必要な周辺地域に配置される周辺的な電子計算機、及び関連の最新技術（電子計算機、インターネット・他）による周辺技術と、
それらの中核的及び周辺的な電子計算機に関連の最新技術を活用する活用技術と、
該電子計算機（知能）による機械分折に人知分折を融合した融合技術と、
を具備し、現在・近未来以降の諸種の複雑な難事に対応する要件が分拆される分折体を有する請求項１に記載の養護装置。
【請求項５】
過去・現在・近未来以降の地球規模の深刻な課題である苦境（破綻・危機・犠性・他）や異常気象や大地震や大台風や大津波や戦争等の実際の体験事項や推定事項が極力事実・推定・他に基づいて分拆される前記標準欄と、該標準欄の記載事項が分類・整理されて数種の項目に分けて前記汎用分折財に機械記載・機械読取や人知記載・人知読取・諸検討が可能に標準化・定型化して構成された汎用分折財（事象）と、該事象分折財（事象）に基づいて専門知識を有する専門層・関係者によって今後に対処されるべき事項が分折され集約化され各々への対処事項が分折される汎用分折財（対処）と、該各分折財に基づいて今後の根源的・総合的な対策や救済事項が分折・検討・協議される汎用分折財（根源）と、を具備した分折体を有する請求項１に記載の養護装置。
【請求項６】
現在・近未来以降の諸種の状況の個人や諸種の状況の団体（例えば世界・各国・各企業・各施設・親族・各公共団体・他）に於ける過去〜近未来以降の諸課題や難局や諸行動の岐路に対処するべき諸種の岐路対処手段が分折される現在・近未来以降の対処分折手段と、該対処分折手段が実施された場合の近未来以降の不利面が分折される対処不利手段と、該対処分折手段が実施された場合の近未来以降の有利面が分折される対処有利手段と、該対処分折手段を検討するべき岐路対策装置と、を具備した分折体を有する請求項１に記載の養護装置。
【請求項７】
過去・現在の人類の活動・生活様式・世界人口激増の結果として必需材に大きな影響が発生しつつあり、限界・苦境（破綻・危機・犠性・他）が止むを得ず懸念される現在、少くとも諸集団・個人の生活形態の転換が全体的に求められる近未来以降に於いて諸課題や難局や諸活動の岐路に対処するべき諸種の岐路対処手段が分折される生活形態の対処分折手段と、該対処分折手段が実施された場合の集団・個人の不利面が分折される対処不利手段と、該対処分折手段が実施された場合の集団・個人の有利面が分折される対処有利手段と、該対処分折手段が実施された場合の総合事項が分折される対処総合手段と、を検討用の岐路対策装置と、を具備した分折体を有する請求項１に記載の養護装置。
【請求項８】
現在・近未来以降に運命づけられているエネルギー不足に関し、
核融合の止むを得ない課題や今後に於いて検討・対処されるべき諸種の対処事項が分折される枯渇対処手段と、
該枯渇対処手段が実施された場合に近未来以降の不利面が分折される融合不利手段と、
該枯渇対処手段が実施された場合の望ましい有利面が分折される融合有利手段と、
その他の諸種事項や総合事項が中小折り曲ぜて分折される融合総合手段と、
を検討用の核融合対策装置を具備した請求項１に記載の養護装置。
【請求項９】
現在・近未来以降に運命づけられている世界人口の激増の危機的に対処するべき諸種の人口対処手段が分折される人口対処手段と、
該人口対処手段が実施された場合に不利であると懸念される手段が分折される人口不利手段と、
該人口対処手段が実施される場合の望ましい有利手段が分折される人口有利手段と、
その他の諸種事項や総合事項が中小拆り曲ぜて分折される人口総合手段と、
を検討用の人口分折装置を具備した請求項１に記載の養護装置。
【請求項１０】
現在・近未来以降に運命づけられている天然の材料資源・エネルギー資源の各資源の止むを得ない資源枯渇の危機的事項に対処するべき諸種の枯渇対処手段が分折される枯渇対処手段と、
該枯渇対処手段が実施された場合に不利であると、懸念される手段が分折される枯渇不利手段と、
該枯渇対処手段が実施される場合の望ましい有利手段が分拆される枯渇有利手段と、
その他の諸種事項や総合事項が中小折り曲ぜて分折される枯渇総合手段と、
を検討用の枯渇分折装置を具備した請求項１に記載の養護装置。
【請求項１１】
現在・近未来以降の止むを得ない運命であるエネルギー不足の危機的事項等に対処するべき諸種のエネルギー対処手段が分拆されるエネルギー不足の対処分拆手段と、
該エネルギー対処手段が実施された場合の近未来以降の不利面が分折されるエネルギー不利手段と、
該エネルギー対処手段が実施された場合の近未来以降の有利面が分折されるエネルギー有利手段と、
該エネルギー対処手段の実施に必要なその他の総合対策が分折されるエネルギー総合手段と、
を検討用のエネルギー対策装置を具備した請求項１に記載の養護装置。
【請求項１２】
現在・近未来以降の止むを得ない運命である食料不足の危機的事項等に対処するべき諸種の食料対処手段が分拆される食料限界の対処分拆手段と、
該食料対処手段が実施された場合の近未来以降の不利面が分折される食料不利手段と、
該食料対処手段が実施された場合の近未来以降の有利面が分折される食料有利手段と、
該食料対処手段の実施に必要なその他の総合対策が分折される食料総合手段と、
を検討用の食料対策装置を具備した請求項１に記載の養護装置。
【請求項１３】
現在・近未来以降の止むを得ない運命である地球温暖化の危機的事項等に対処するべき諸種の温暖対処手段が分拆される地球温暖化の対処分拆手段と、
該温暖対処手段が実施された場合の近未来以降の不利面が分折される温暖不利手段と、
該温暖対処手段が実施された場合の近未来以降の有利面が分折される温暖有利手段と、
該温暖対処手段の実施に必要なその他の総合対策が分折される温暖総合手段と、
を検討用の温暖対策装置を具備した請求項１に記載の養護装置。
【請求項１４】
現在・近未来以降の止むを得ない運命である原子力発電の危機的事項等に対処するべき諸種の原発対処手段が分拆される原子力発電の対処分拆手段と、
該原発対処手段が実施された場合の近未来以降の不利面が分折される原発不利手段と、
該原発対処手段が実施された場合の近未来以降の有利面が分折される原発有利手段と、
該原発対処手段の実施に必要なその他の総合対策が分折される原発総合手段と、
を検討用の原発対策装置を具備した請求項１に記載の養護装置。
【請求項１５】
現在・近未来以降の止むを得ない運命である廃棄物増大の危機的事項等に対処するべき諸種の廃棄処理手段が分拆される廃棄対処手段と、
該廃棄対処手段が実施された場合の近未来以降の不利面が分折される廃棄不利手段と、
該廃棄対処手段が実施された場合の近未来以降の有利面が分折される廃棄有利手段と、
該廃棄対処手段の実施に必要なその他の総合対策が分折される廃棄総合手段と、
を検討用の廃棄対策装置を具備した請求項１に記載の養護装置。
【請求項１６】
現在・近未来以降の止むを得ない運命である氷期到来の危機的事項等に対処するべき諸種の氷期対処手段が分拆される氷期到来の対処分拆手段と、
該氷期対処手段が実施された場合の近未来以降の不利面が分折される氷期不利手段と、
該氷期対処手段が実施された場合の近未来以降の有利面が分折される氷期有利手段と、
該氷期対処手段の実施に必要なその他の総合対策が分折される氷期総合手段と、
を検討用の氷期対策装置を具備した請求項１に記載の養護装置。
【請求項１７】
現在・近未来以降の止むを得ない運命である地球高温化（第２金星化）の危機的事項等に対処するべき諸種の高温化対処手段が分拆される地球高温化の対処分拆手段と、
該高温化対処手段が実施された場合の近未来以降の不利面が分折される高温化不利手段と、
該高温化対処手段が実施された場合の近未来以降の有利面が分折される高温化有利手段と、
該高温化対処手段の実施に必要なその他の総合対策が分折される高温化総合手段と、
を検討用の高温化対策装置を具備した請求項１に記載の養護装置。
【請求項１８】
現在・近未来以降の止むを得ない運命である大津波の危機的事項等に対処するべき諸種の大津波対処手段が分拆される大津波の対処分拆手段と、
該大津波対処手段が実施された場合の近未来以降の不利面が分折される大津波不利手段と、
該大津波対処手段が実施された場合の近未来以降の有利面が分折される大津波有利手段と、
該大津波対処手段の実施に必要なその他の総合対策が分折される大津波総合手段と、
を検討用の大津波対策装置を具備した請求項１に記載の養護装置。
【請求項１９】
現在・近未来以降の止むを得ない運命である砂漠化の危機的事項等に対処するべき諸種の砂漠化対処手段が分拆される砂漠化の対処分拆手段と、
該砂漠化対処手段が実施された場合の近未来以降の不利面が分折される砂漠化不利手段と、
該砂漠化対処手段が実施された場合の近未来以降の有利面が分折される砂漠化有利手段と、
該砂漠化対処手段の実施に必要なその他の総合対策が分折される砂漠化の総合手段と、
を検討用の砂漠化対策装置を具備した請求項１に記載の養護装置。
【請求項２０】
現在・近未来以降の止むを得ない運命である森林破壊の危機的事項等に対処するべき諸種の森林対処手段が分拆される森林破壊の対処分拆手段と、
該森林対処手段が実施された場合の近未来以降の不利面が分折される森林不利手段と、
該森林対処の手段が実施された場合の近未来以降の有利面が分折される森林有利手段と、
該森林対処の手段の実施に必要なその他の総合対策が分折される森林総合手段と、
を検討用の森林破壊対策装置を具備した請求項１に記載の養護装置。
【請求項２１】
現在・近未来以降の止むを得ない運命である苦境到来の危機的事項等に対処するべき諸種の苦境対処手段が分拆される苦境到来の対処分拆手段と、
該苦境対処手段が実施された場合の近未来以降の不利面が分折される苦境不利手段と、
該苦境対処手段が実施された場合の近未来以降の有利面が分折される苦境有利手段と、
該苦境対処手段の実施に必要なその他の総合対策が分折される苦境総合手段と、
を検討用の苦境対策装置を具備した請求項１に記載の養護装置。
【請求項２２】
現在・近未来以降の止むを得ない運命である異常気象の危機的事項等に対処するべき諸種の異常気象対処手段が分拆される異常気象の対処分拆手段と、
該異常気象対処手段が実施された場合の近未来以降の不利面が分折される異常気象不利手段と、
該異常気象対処手段が実施された場合の近未来以降の有利面が分折される異常気象有利手段と、
該異常気象対処手段の実施に必要なその他の総合対策が分折される異常気象総合手段と、
を検討用の異常気象対策装置を具備した請求項１に記載の養護装置。
【請求項２３】
現在・近未来以降の止むを得ない運命である大地震の危機的事項等に対処するべき諸種の大地震対処手段が分拆される大地震の対処分拆手段と、
該大地震対処手段が実施された場合の近未来以降の不利面が分折される大地震不利手段と、
該大地震対処手段が実施された場合の近未来以降の有利面が分折される大地震有利手段と、
該大地震対処手段の実施に必要なその他の総合対策が分折される大地震総合手段と、
を検討用の大地震対策装置を具備した請求項１に記載の養護装置。
【請求項２４】
現在・近未来以降の止むを得ない運命である大台風の危機的事項等に対処するべき諸種の大台風対処手段が分拆される大台風の対処分拆手段と、
該大台風対処手段が実施された場合の近未来以降の不利面が分折される大台風不利手段と、
該大台風対処手段が実施された場合の近未来以降の有利面が分折される大台風有利手段と、
該大台風対処手段の実施に必要なその他の総合対策が分折される大台風総合手段と、
を検討用の大台風対策装置を具備した請求項１に記載の養護装置。
【請求項２５】
現在・近未来以降の止むを得ない運命である戦争の危機的事項等に対処するべき諸種の戦争対処手段が分拆される戦争の対処分拆手段と、
該戦争対処手段が実施された場合の近未来以降の不利面が分折される戦争不利手段と、
該戦争対処手段が実施された場合の近未来以降の有利面が分折される戦争有利手段と、
該戦争対処手段の実施に必要なその他の総合対策が分折される戦争総合手段と、
を検討用の戦争対策装置を具備した請求項１に記載の養護装置。
【請求項２６】
現在・近未来以降の課題に対抗して開発されたシステム開発［例えば人類の生存の維持に不可欠・不可分な必需材（資源・エネルギー・環境・食料・人口・他）に関する技術が掲載された必需書（入・出力書）や電子表示面を含む開発装置と、
該開発装置（必需材等）の内容の浸透を図るべく略放射状・核分裂状に配置された中央材・中核材・地方材・派生材を含む最新技術（インターネット等の情報機・電子計算機・印刷物）等のネットワークで構成された連携装置と、
を具備し、該課題によって該開発装置に掲載された必需材等が次々に限界を越えて止むを得ず波及的な苦境（破綻・危機・犠牲・他）に陥る事前に該インターネット等が該システム開発（必需材等）に及ぼす特有の特性によって・極力長期的な持続的安定を遠目標にその一手段を図る実用体を有することを特徴とする養護装置。
【請求項２７】
前記養護体は、前記実用体の機能の一翼を担うべく構成された情報材（情報機器・情報紙）を含んで補佐的・指導的事項の一翼を担うよう略放射状に配置された情報体を含んで構成された請求項１に記載の養護装置。
【請求項２８】
前記養護体は、前記実用体によって前記必需材の実用事項が実用化される実用段階と、前記中央材・地方材によって応答される応答段階と、を含んで構成された請求項１に記載の養護装置の使用方法。
【請求項２９】
前記養護体は、前記中央材・地方材が配置される配置段階と、
該中央材・地方材に入力・出力されて入力書・出力書が活用される活用段階と、
該中央材・地方材が連携される連携段階と、
望ましくは前記情報材によって補佐的・指導的事項の一翼任う補佐段階と、をさらに含んで構成された請求項４に記載の養護装置の使用方法。
【請求項３０】
前記必需書（入・出力書）は前記最新技術によって略連続的・略自動的な処理も可能となるよう細長い帯状に連接して構成された請求項１に記載の養護装置。
【発明の詳細な説明】
【技術分野】
【０００１】本件の発明は現在・近未来以降の課題に対抗して開発されたシステム開発（１例は検討体、必需体）や日常の一般的な汎用事項の諸分折による総合的・根源的な検討・対応用に一般の特性要因図の徹底的な標準化を追て構成され、全ての記載・確認の機械化を図るべく標準化・定型化された基本型・標準欄を備え少数種の基本型やその応用型の組合によって略全ての汎用分折が可能で、電子計算機（最新型や人工知能型）による処理によって機械処理及び人知処理（記載・読取・分折・検討・他）の的確化・能率化・高速化・大量化・等を目標に構成された基本型・標準型・応用型を含む汎用分折財の分折装置に関するものである。
【背景技術】
【０００２】２０世紀は去り、私達は２１世紀を迎えすでに１３年が過ぎた。ここで２０・２１世紀の時代を人類の歴史や地球の歴史上より顧みることは、単に１つの世紀の区切りの時代ということのみに止まらず極めて重要な意義を有することになった。恐らくこの数１０年の世界の対応如何が、未来に向けて末永く生存するべき人類の運命を左右しかねない程、重要な意義を持つと予測される事態に至ってきた。資源の枯渇・地球温暖化・エネルギー不足・食料の限界・大量消費・廃棄物の増大・世界人口の激増・原発崩壊による健康問題・等への危機的傾向が深刻さを増し、いずれも全地球規模の課題となりつつあるからである。【０００３】まず、２０世紀の前・後１世紀の変化の実態と予測とを客観的に把握しておく必要がある。図１は１９・２０世紀における主な変化の実態と、２１世紀に於いてこの傾向が続く場合の予測と、を示す。図１の図（ａ）・図（ｂ）を参考にして２０世紀の初めと終りとを比較すると、世界人口は約３倍、国民総生産は約２１倍、エネルギー消費量は約６０倍に激増した。さらに、１９世紀中頃と２０世紀の終りとを比較すると、世界人口は約８倍、国民総生産は約５０倍、エネルギー消費量は約８０倍に、各々爆発的に激増した。特に、世界の工業生産は２０世紀に１００倍以上増加した。革命的なまでに産業は発達し、人間の生活様式は大きく変化し、人間の活動力は大きく伸びた。【０００４】このような著るしい伸びは、私達の人間社会を物質的に豊かにした。人間の行動範囲は飛躍的に広がり、活動能力は伸長し、文明は高度に発達した。現在の文明は便利さと、快適さと、豊かな社会と、を求めて成長と開発に努めてきた私達人類の汗の結晶であり、活動の軌跡である。確かに私達は１９世紀までよりはるかに発達した高度の文明を持ち、遺産として残すことができる。しかし、それら著るしい活動の副産物として、資源枯渇の問題・地球温暖化の問題という大きく、かつ深刻な試練を受けることになっている。副産物の中には人間の居住パターンを変える程の大きな影響を及ぼすと予測されているものもある。その具体的な１例を図１を参考にして大略説明する。【０００５】前記した図１の図（ａ）・図（ｂ）に示すように、２０世紀における世界人口・国民総生産・エネルギー消費量は爆発的に増大するに至り、図（ｃ）に示すように石油消費量は年間１０億トンを超すようになり、この傾向が続くと石油資源はあと４０数年の中に枯渇すると予測されている。そして、木材需要・農耕地需要、により熱帯雨林が年間１１３０万ｈａ破壊されている。森林、特に熱帯雨林は地球の肺に相当する程、大気中の二酸化炭素を吸収し酸素を供給する。このような森林・熱帯雨林の破壊と併せて、石油等の化石燃料は燃焼時に大量の二酸化炭素を排出する。この結果、図（ｄ）に示すように、大気中の二酸化炭素の濃度は年々増大する傾向を示すに至った。そして、図（ｅ）に示すように地球温暖化の傾向が強まりつつある。この傾向が続くと、図（ｆ）に示すように、海水位が年々高くなり、近未来は臨海都市・地域は水没化する危険性がある。【０００６】生命にとって絶好の生存環境条件を備えた現在の地球は、太陽からの公転距離、従って太陽から受ける太陽光の照射エネルギーの量、地球の大きさ、地球の自転速度、地球の地軸の傾斜、地球の磁力やバリヤ層による宇宙線や紫外線の照射量の調整、大陸や海の大きさ、大気・水・海水、等で構成され、数億年の植物等の活動による酸素の生成、等々によって奇跡的に生み出された。現在の地球環境は上記のような諸要件の微妙なバランスと超長年月をかけた熟成の末に造り出されたものである。しかし、地球環境はバランスが崩れ始めると壊れ易い有限の球体でもある。有限であるから資源と環境とが限られた超巨大な宇宙船にも例えられる。地球環境は過度な自然破壊さえ無ければ、忍耐強く、少々の打撃にも耐えられる寡黙な包容力のある、ねばり強い一面を備えた存在でもありうる。【０００７】地球は人間の個々の存在から視れば、圧倒的な巨大さと、うねりと、超長年月をかけた活動とをもつ大自然の１つである。大自然には緩衛能力があり長期にわたって被害を表面に出さない。しかし、ある限界を超えると急に状況が悪化するものがある。それが明らかになった時はすでに手遅れだという傾向が強い。地球環境はある方向へ傾斜し始めたら回復困難な非可逆的な性質をもっている。地球環境の諸問題は今ならまだどうにか取組みが間に合うかもしれないが、時期を失せぬ中に早急かつ慎重な応急的対策をとらなければ難しくなるものが多い。地球環境は全く奇跡的な比類のない創生であるから、当然のことであるが、これは現在の人類のためだけのものではない。未来に向けて末永く生存するべき膨大な未来の人類と、多くの種類の未来の膨大な生物とが共有すべき唯一の住家であり生命の源泉である。ところが実際には、地球環境がわずか約１世紀の人類の活動が原因して破壊されかけようとしている。この危険な傾向は現在の人類の責任において修正・転換され地球環境は養護され尽されねばならない。そのためには、環境破壊の原因の排出を繰返した２０・２１世紀の人類の活動の全てが個々の立場に於て検証され、最善の対策が図られるべき必要に迫られてきた。【０００８】前記したように私達は便利さと、快適さと、物質の豊さと、を手に入れたのと引換えに毎日実に多くの資源やエネルギーを消費している。例えば、我国では１年間に排出される一般廃棄物は約５千万トン（東京ドームの１３８杯分）を超え、産業廃棄物は約４億トン（同１１０４杯分）を超えている。後者では最終処分場があと１．６年で満杯となり以後は廃棄する場所に困窮するとされている。このような大量の廃棄物の原因になっているものは、日常生活や経済活動で使用され捨てられた膨大な製品の集積であり、膨大な製品は実に大量の資源やエネルギーを使って制作されたものである。【０００９】大量生産・大量消費・大量廃棄によって私達は深刻な廃棄物問題から、さらに発展して資源枯渇の問題・環境問題という非可逆な深刻な課題に直面することになっている。以上は先進国に共通する課題であるが、先進国に追いつき・追い越す勢いを増しつつある発展途上国も先進国とほぼ同様の経過をたどるとすれば人口が膨大であるだけに世界全体では現在の数倍の規模になる。資源枯渇問題・地球温暖化問題・廃棄物問題は２１世紀以後の近未来に深刻な影響を及ぼす地球規模の課題である。上記これらの諸課題には、絶対的限界がある。幾世紀、幾億年かけて生成された森林や土壌や地球独得の資源等が今や人間一生程の短い期間に消費されている。また、これらのこことが将来、政治的・社会的安定を脅かす原因となってくる可能性が大きい。【００１０】２０世紀の人数はその活動の産物として数々の地球環境問題で大きなツケを２１世紀以降の後世に残すことになった。後世の人々は数々の大問題の解決に県命にならねばならぬ時が来る。県命になって解決されればそれで良い。なおかつどうすることもできず解決できぬ時にどうするか。２０・２１世紀はこのことに対して痛切に心が痛まざるを得ないのが本当だ。【００１１】人類は有史以前の大昔の出来事や、数万年・数億年後の未来の事や、宇宙の果てまで研究し次々と明らかにしてゆくことができる唯一の生物だ。地球や人類の未来の課題はこうなるに違いない、と理論的に判っているのであれば、これをできる範囲・程度まで解決しておこうとする努力は放置されるべきでないだろう。技術の未成熟なために現時点では推定に止ることが多い。でも仕方がない。方向性や必要性の明確になった技術開発は年月がかかれば何とか妥当な答えがでるものが多い。やがて世の中の技術のレベルが向上し発展すれば難問が解決される日も来るであろう。現在の地球環境問題にも未来の地球・人類には天体上の諸理由によって起る危機、正に大危機と呼ばれる試練が待ち受けている。過去複数回到来したものは未来も複数回到来するであろう。例えば氷期の到来の課題然り、小惑星の地球衝突の課題然りである。それらは枠外れの厳冬や大地震よりさらにレベルが異る大危機である。以上は相当現在に近い近未来〜中未来の切実で大きな課題である。【００１２】相当先々の中未来〜遠未来のことになるが太陽光度の漸次増強による地球高温化、地球の第２金星化の課題は放置すれば生物や人類の世紀末とも言うべき、全運命を左右する大危機である。しかし、人類はこれらの大危機も――時には技術開発や実用化が間に合わず大打撃を受る可能性があるか無いかは現時点では判明できないが――何とか解決して乗り越え生き延びる可能性は残っていると推定される。それは技術開発が目標を持って開発済みの蓄積技術を土台にして、一歩一歩階段を登るようにより困難な課題の技術を解決し克服し高度な技術を手中にする”蓄積・向上する”創造力を備え、その創造力を活すべき手法・機器を人類が持っているからである。
【先行技術文献】
【特許文献１】特願２０１１−２５２０４９号、ＰＣＴ／ＪＰ２０１２／７５６６７、
【特許文献２】特願２０１１−２０５２６７号、ＰＣＴ／ＪＰ２０１３／７６７３２、
【非特許文献１】世界統計白書（本本書店）、
【非特許文献２】世界国勢図会（矢野記念会）、
【発明の概要】
【発明が解決しようとする課題】
【００１３】現在は前後約５０年の中心で歴史的に重要な岐路にある。図１・図２・図  のデータ（信頼できる統計白書に基く）が裏付るように世界人口激増・資源・エネルギー・環境・食料の必需材は特異な曲り角にある。既に限界も多い。資源特に化石資源は地球独得の非常に重要な材料資源であるがエネルギーとしても約９０％消費されている。石油・ウラン・天然ガス・メタンは約４０〜１００年、石炭は１９０年で枯渇する。再生可能エネルギーは主力に程遠い。エネルギーは展望しにくい状況にある。他方世界人口は９０〜１００億人に達し、近代化著るしく消費が激しくなる。日常品（資源）・電気・環境は毎日慣れると当然の事と錯覚して大切にする心が薄れ勝ちだが小さい事の広域・長年の積み重ねが大きくなり必需材の危機となる。生存に不可欠な必需材は一旦進行すると原状に復帰できない非可逆の特質がある。
【課題を解決するための手段】
【００１４】２０世紀を中心とする約１５０年の現在は世界人口が約７倍、エネルギー消費が約８０倍、工業生産が約１００倍に激増した。必需材はこの激増で限界近くになった。必需材の各々が次々に限界を越えれば苦境になる。現在は厳密に曲り角にある。手段１は必需材の制御の適正化を図る目標データを掲載した近未来検討表がインターネットを活用して広域的・連携的に配置されて必需材に特有の実用化を図ることである。手段２は長期的に本来あるべき目標データの究極の目標と該目標が達成されるために必要不可欠な要因や諸種事項が汎用分折財によって分拆されることである。手段３は該汎用分折財は課題枠・目標枠・項目枠・標準欄・他必要に応じて略全要因の分折が可能なように広汎化して構成され将来の的確化を図ることである。手段４は各種の要因分折が各種の最新技術に対応して構成され機械記載・機械読取・諸処理が可能に定型化・略定位置記載により機械処理されることである。手段５は汎用分折財が電子計算機（知能）に対応して構成され要因の分折が人知・機械の共働作用の可能性を検討することである。手段６は養護体（検討体）［ＰＣＴ／ＪＰ２０１３／０７６７３２］の電子計算機（知能）との連携または併用を検討することである。
【発明の効果】（１）  ＜必需体＞（実施例１の効果）【００１５】人類が生存を維持するためには最低限度必要とされる不可欠のものがある。また、現在の社会に於いて多数の人々が社会の一員として生存するためには社会構造が円滑に機能していくように必要不可欠なものが維持されなければならない。例えば大昔の時代に於いては食料と人体の保温に必要な着衣物であり、居住する居住材であり、何よりも食料であった。現在の社会で生存を維持するためにはすでに構築されている社会構造が円滑に機能するように維持するための社会維持材が必要とされる。【００１６】現在の社会は複雑に構成されている。従ってそれを維持していくためには衣・食・住以外にもいくつかの必要条件が必要とされる。この必要条件を併せて必要欠くべからざるものを必需材と呼べば、現在の必需材は一体何であろうか。生存維持には衣・食・住と資源・エネルギー・環境・適正人口が必要ではなかろうか。現在は社会が発展し複雑になつたがために衣・食・住以外にも資源・エネルギー・環境・人口が適正に維持されねばならない。それらが維持されねば破局や危機が切迫されざるを得ないのである。ここに於いて現在の状況を卒直に反省してみると、資源・エネルギー・環境・食料・人口等は諸点ですでに適正とは言えない徴候が現れつつある状況に至つている。これは大きな問題である。【００１７】そこで、このように適正とは言えない状況に至ってる現在の実態をを順に説明する。まず資源・エネルギーは石油・天然ガス・ウラン・メタンが各々約４２年・６７年・８５年・１００年で枯渇する。石炭でさえ約１９２年で枯渇するとされている。これらの資源は以降地球上から姿を消してしまうから既に限界を越えんとする状況にある。原子力発電は大地震に於ける大きな危険性が露呈されたから火力発電への比重が増大し、化石資源の枯渇が早まる傾向になる。化石資源は現在・未来も不可欠な非常に重要な材料資源であるから温存されるべきであるが既に限界を越えつつある。【００１８】次に、環境は地球が有限の球体で、例えば地球温暖化は化石資源の燃料過多が主な原因であるから既に限界に近い状況にある。２０世紀末頃の約１０年間に於いて人類は化石資源を燃焼することで毎年約６３憶トンのＣＯ２を排出してきた。樹木・海水に約３０憶トン吸収されたとしても大気中に毎年約３３憶トンが蓄積していることになる。この増加傾向は上記の火力発電への比重増大で増す一方である。温暖化の悪影響は海水位の上昇、海ばつ０ｍ地域の沈没、熱帯の病原菌や害虫の棲息地域の拡大・人間・家畜・農作物への被害、生態系の変化のおそれ、干ばつ・洪水等の異常気象・等々社会環境・自然環境等の全般に深刻な影響が出る。【００１９】さらに、食料は農産物が既に限界に近い状況に至っている。農業は農耕に必要な農業機械の発達、化学肥料・農薬等の生産・消費による農作物量が略頂点に近いところに達している。農作物は異常気象・干ばつがあると即座に価格高騰等の状況に至り、農作市場に大きな影響が出る。このことは農産物の生産が余力少く既に限界に近いことを裏付ける事実である。新しく実用化が進んでいる野菜等の照明器具による工場生産は急激な勢いで拡充するとの評価もあった。しかし相当の���力消費を必要とするから最近の大地震・大津波に伴う原子力発電の危険性から、これも限界があることが判ってきた。現在では電力の使用も限界があることになりつつある。また家畜の育成は飼料が穀物等の農産物だから、これも上記のように限界がある。前記のように食料は飢餓人口が２００８年で約１０、２億人に膨らんでおり限界を越えている。これは現在の世界人口の約１／６に相当する。食料の不足程切実なものはないから何とか犠性を増大させない対策が必要とされる。しかし、食料が不足する未開発地域に於ても他方では人口増加が相当の勢いで続いているとされる。現在は難しい問題に直面している。【００２０】必需材は資源・エネルギー・環境・食料・適正人口が皆相互に非常に深い関連性を有する。しかしこれらの必需材は上記のように現在既に限界に近い状況にある。これらは各時代を越えて重要な要素を有し近未来以降も同様である。「必需材」はその各々が更に「細分化」され（図４）、必需材が制御されるべく推計される。他方「制御局」は世界−国−地方が「系統的」に「細分化」され、その各制御部と各制御体・制御局とが連携され（図４）、一定の権限と責任をもって対処を図る。制御局・制御体・制御部は貴重な必需材が浸食され消費されるに任せるのではなく、上記のように細分化された必需材の要因が制御推計され連携管理される。【００２１】世界人口は２０５０年には約９２億人〜１００億人に増大すると推計されているが既に危険水域に於ける２２億人〜３０億人の増加だからその負担は数倍増の痛みとなる。世界人口は必需材の各々に直接・間接的に大きな影響を及ぼす要因の１つである。世界人口制御は今までのように放置型でいくより他にないだろうか。仮に世界人口は制御型だとしても超多数人の急ブレーキは効かないだろう。従って、世界人口は１０億人内外の増加は止むを得ないだろうと推定される。負担数倍増の危険水域に於いて１２億人〜２２億人程が少いだけでも効果は大きい。計画的・組織的に対処すれば期間の遅れは止むを得ぬとしても少しでも制御は重要と推定される。必需材はすでに限界に達している微候が表われている。多くの打撃・危機・破局が起る事前に最適の方向に方向選択する。予期せぬ不特定の犠性がなるべく最少限になるよう人道的な「適性人口」の社会を構成できないか検討する。【００２２】理想としては枯渇目前の必需材を将来に可能な限り計画的に備蓄し得るようにできないだろうか。必需材は全て近未来以降と分ち合うべき実に大切な至宝である。決して現在のためだけのものではない。しかし現在、必需材はどれもが限界に近い徴候状態ですでに限界の近くまで消費されている。特に膨張してこれも限界に近い状態にある世界人口は「増大傾向」が止まらない傾向とを抱えている。近未来以降の世界は一体如何にすればこれに対処できるだろうか。このことは極めて難しい問題である。人道的な基本問題はその基本に徹することで解決に向う。現在人口増加がマイナス傾向の国は世界中で２４ヵ国で多くは皆増加傾向の国である。世界は現在全部で約１９３ヵ国あるから約１７０ヵ国が現状維持を含む増加傾向の国である。【００２３】この実例を参考にすることは世界人口の増大傾向を示す１つの手段かと考えられる。���置されれば非人道的な犠性が近未来以降に起りかねない原因は現在から人道的・法律的・正義的・平和的・段階的に図る手段はないだろうか。要因はどこにあるか。人類が持続的に生存するために不可欠とされる必需材はどれも限界近くに達している。止むに止まれぬまでに追いつめられた世界人口急カーブは如何にすれば解決に向うだろうか。極めて貴重な諸資源はいずれも枯渇に近い状態になれば弱者への無理が生じる。現在各所で出始めた諸種の徴候は、近未来以降への天の啓示かとも解釈される。【００２４】問題は現在以降の対処の仕方である。必需材には絶対的な限界がある。世界人口は増え続ける。現在は上記諸条件の相乗作用と組織的なシステム・抑制とでも無理であろうか。これは決して楽観はできないが１分の望みはないであろうか。近未来以降の犠性・破綻は何とかして小さくされねばならない。回避は無理としても。現在はまだ多少とも余裕が残っているが決して楽観できない状況にある。この状況を重視し、現在はゆるやかで、人道的・啓発的・計画的に対処できないか。現在は有効的と推察される諸条件を組み合せて難しい難問の打開への方向設定を図るべきだ。近未来以降の諸問題は現在の状況や結果が反映されて起る。現在は近未来に対して何ができるだろう。世界人口は上記のように全必需材に影響する大きな要因の１つであり、近未来以降の運命は現在の責任であるとすれば現在に残された道は何であろうか。必需材が仮に適正に維持されれば地球温暖化の傾向に対しても有効であると推定される。
（２）  ＜実用体＞（実施例２の効果）【００２５】ａ．  本件開発の養護装置は本文に掲載のように構成したので下記の効果がある。特に養護体（実用体）はインターネットを活用してシステム開発の実用化を図るよう構成したので下記のように本件に特有の効果の創出が可能になると推定される。実用体は必需材等の関係者（制御者・被制御者）の多数の人々は一同に会することは非常に少くかつ難しくシステム開発の実用化を図ることは一般に非常に難しい。しかし実用体はインターネット等の情報材（情報機・情報紙）を活用することによって上記の不都合を一挙に解決することができると推定される。【００２６】ｂ．  多数の関係者は年月の経過と共に人数が大量になるに従ってそのような多数の関係者を一堂に収容しうるだけの広大な会場が現実に存在し得ない。そこで多くの年月をかけて多数回に分けて会してシステム開発の実用化を図るとしても会場までの往復の費用や労力や時間的な総損失の合計は膨大なものとならざるを得ない。多数の関係者は毎日の職場や住宅を離れるのは種々の都合や時間的な制限があるから実際上は大変であり不可能に近い。【００２７】ｃ．  しかしインターネットを活用することによって実用体はそれら会場的・労力的・時間的・都合的・経費的な不利を一挙に解決でき実用的価値が実に大きい。関係者は超多数の場合でも各々の私場・出先機関・自宅を離れることなく、単にインターネットの画面を注視することで解決できる。関係者はシステム開発について予備知識は全く持ち合せない素人が多い。例え一堂に会し得たとしてもその全体を即座に理解し得るのは容易でない。しかしインターネットの活用に依ればテレビ等と同様に毎日画面を注視するだけで全くの素人でも最大の理解者になれると推定される。【００２８】ｄ．  実用体は多忙で複雑な現在・近未来以降に於て最適の技術浸透手段になる。この事は目標データ等が本来、根本的に遂行され易くなる基礎ができる。従って近未来以降に於て実用体等は苦境（破綻・危機・犠性・他）に陥る事前に多くの危機に対抗すべき一手段になる。関係者は年月の経過と共に理解層が増大する事は成長に代る持続的安定の一手段になると推定される。インターネットは双方向通信が可能であるから新技術に疑問点が生じても即座にそれらを解消できる。従って必需材等の限界や苦境を目前にして現在の課題解決の一手段になる可能性がある。
（３）  ＜分折体＞（実施例３の効果）【００２９】ａ．  前記養護体（分折体）は、汎用分拆財を中核として最新技術（最新の電子計算機・インターネット・情報材・他）に対応し検討体（ＰＣＴ／ＪＰ２０１３／０７６７３２）に連携して構成される。汎用分折財は解決されるべき課題が端的に掲載される課題欄と、該課題の解決目標が掲載される目標欄と、基本的要因が掲載される項目欄と、が各々電算記号が付され、間隔点や直線により定型・矩型の標準欄が汎用分折用の分折表通称「魚の骨」の機能を汎用化して構成される。この標準欄は定型・定位置の矩形でしかも、その内部に必要事項が電子計算機（最新）によって機械記載・機械読取・及び人知記載・人知確認・人知検討が可能に構成される。このため対策会議での協議や各種の打合せが的確かつ能率良く行われる。なお各欄は定型の欄枠で囲まれているので手書きのメモ書き用にも最適であり、対策会議用等の検討が行われ易く修正も的確化される。【００３０】ｂ．  汎用分折財は標準化・定型化が徹底的に追求されて広汎の使用が可能になる。この場合電子計算機（最新）は人工知能を搭載した電子計算機（知能）の適用も検討されて然るべきである。人工知能は分折力に対して如何なる性能を有するかは未定である。しかし論理的な思考や解折ができれば可能性はあると推定される。人工知能で及ばない分野もあるだろう。機械だけでは及ばない点もあるとすれば人的知能で補う共働作用の可能性もある。近未来の検討が上記検討体によって成される場合、電子計算機（知能）は汎用分折と共通のもの、あるいは連携して処理の的確化・能率化が可能になると推定される。【００３１】ｃ．  機械化が可能とすべく構成するためには汎用分折財は極力広汎な場合に適用可能なように標準化・定型化・略定位置化して構成される必要性がある。例えば請求項１に掲載のようなシステム開発や「産業上の利用分野」の分拆への適用も検討するの場合は複雑な内容も含む。従って項目枠・標準欄はこれに対応する汎用性を備えれば広汎に対応可能である。そこで汎用分折財は標準化・定型化されると共に垂直分折等が必要とされる縦連型や、並列的な関連分折が必要とされる横連型（図１２）を備えて構成され、機械記載・機械読取・機械処理が可能とされる。【００３２】ｄ．  分折体は要因分折の対応も標準化・汎用化されるので手法も標準化される。その結果、多種類の課題に対応してその要因が分折される機会も増えて習練による質的向上・能率向上・長期的には人材育成等の可能性もあると推定される。しかも対策会議に備え汎用分折財は比較対照・検討・要因分折の結果が的確に確認される。汎用分折財は広汎に対応可能とすれば必需材の限界や苦境に対応する１手段となる。【００３３】ａ．  汎用分折財は各項目枠の間隔空部に間隔点を配置して諸種事項を検討・分折・記載用の標準型が構成される。標準型は電子計算機による機械記載・機械読取の場合は行線は省くことができる。標準型（図９）は各項目の諸種事項を掲載用の標準欄に於いて明示されるので各項目の記載内容が補充され的確化される。標準型は項目枠の間隔空部に配置されれば機械記載・機械読取及び人知記載・人知読取・検討等の的確化が可能であり、（図９）のように構成される。各項目の諸種事項を検討することはその過程に於いて項目枠・標準欄の増設が必要に応じて適宜増設されても良い。（図１１、）各枠・各欄は各項目が枠線によって囲まれているから他の基本枠・増設枠・標準欄の記載と混乱されることもなく機械記載・機械読取及び人知記載・人知読取も的確化される。【００３４】ｂ．  汎用分折財は上記の間隔点を連接することによって必要幅の項目枠を増設可能で増枠型（図１１）が必要に応じ構成される。なお、間隔点の位置は図のものに限定されず間隔空部の外側に１対または２対配置されてもよい。さらに増枠型は分折財が限定数のもので収めたい場合に増設可能とし、必要に応じて増頁型（図１２）が構成されてもよい。【００３５】ｃ．  汎用分折財は必要に応じて増頁型（図１２）が構成される。増頁型は縦長方向に分拆財が連接されて縦連型（図１２）が構成される。この場合中間頁は省略されてもよく、課題枠・目標枠も下部・上部に各１個のみの配置で可能である。縦連型は集中的に必要な諸種事項を垂直的概念で掘下げて分折されたい場合に活用される。
増頁型は横長方向に汎用分折財（標準）が連接されて横連型（図１２）が構成される。この場合標準頁のものがそのまゝ側縁を隣接しあるいは若干幅重ねて連接される。横連型は関連の諸種事項が並列的概念で分折されたい場合に主に活用される。【００３６】ｄ．  汎用分折財は単に電子計算機との連携を図るのみだったら、特性要因図（通称「魚の骨」）に似たものに電子記号を付したもので代用する場合もある。例えば（図１３）特性要因図に酷示した「魚の骨型」（図  ）は横長方向に項目枠を配列して電産記号を付したが横長の書面でも項目枠の長さには限界がある。これでは各国語で記載されにくいので横文字での記載に充分な枠長が必要とされる。これを若干改変した「魚変形型」（図１３）は項目枠は長く形成されるが記載方向は図のように３方向となる。これでは各国語で記載されるが電子計算機による多くの諸種事項の機械記載・機械読取は不可能である。インターネットで表示されても諸種事項の確認が難しい。即ちこれらは最新技術との連携は難しい。（図１３）【００３７】  分拆体は実施例のように構成したので具体的に下記の効果がある。
ａ．  汎用分折財は課題枠・目標枠を具備しているので現状の課題が端的に表示される。現在の課題を解決するためには、課題は課題として現状のあるもの全てが端的に明示されることが重要である。それによってそれらの課題を何とか分折して解決していこうとする姿勢が関係各層の多くに生まれる。一般に課題は複雑なもの、複数個あるもの、慎重に扱われる必要があるもの、近未来以降への影響が少なからずあるもの、長期または短期にわたるもの、解決され難い（易い）ものが種々ある。【００３８】しかもこれらは特に現在・近未来以降の社会は複雑に構成され、その課題も単純なもの、複雑なものがある。そこで課題はあるがまゝ関連するものを含め全てが端的に表示してその各々が分折・検討される必要がある。単に１つの目標枠に掲載されればそれで済むような単純なものばかりとは言えないのである。目標枠に表示される解決の目標と表裏の関係にあるもののみとは限らないものもある。しかも課題の諸種事項は解決目標の根拠ともなるので重要である。課題枠を設ける意義は大きい。【００３９】ｂ．  汎用分折財は基本枠に付随して標準欄が設けられたのでその項目枠に掲載の各項目の根拠・要因・越旨等、各項目の趣旨も明示される。汎用分折財は最新技術（電子計算機・インターネット・他）に対応して構成され、的確に処理されるよう構成したので特性要因図にはない特有の効果が生れる。的確処理は現在や近未来以降の複雑な社会には必要不可欠のものである。機械記載・機械読取されるだけでも対策会議や関係各層の確認・検討が的確に効率良く行われ人的処理は的確にできる。また機械処理は不可欠で現在・近未来以降の要請に応じることができる。【００４０】ｃ．  汎用分折財は、基本枠の枠線及び標準欄の行線が本線に略直角に配置される。本線は汎用分折財の短縁に略直角であるから枠線・行線は横端縁に略平行である。汎用分折財は横端縁に沿って電子計算機にセットされれば機械記載・機械読取が可能で人知記載・読取・確認も即座にできる。標準欄には間隔点が配置されたので欄での機械記載・機械読取も可能で人知による読取・確認も的確に能率的にできる。基本型・標準型は従来の特性要因図の余白の空欄に定間隔に設けたので各項目の検討が的確に行える。間隔点は項目枠の略１／２間隔に設けたので標準欄のみでなく項目枠を増設できる。間隔点の配置は限定頁の汎用分折財において標準欄・項目枠を増設できるので広汎に適用できる。【００４１】ａ．  分折体は、汎用分折財が上記のように電子計算機（最新）で機械記載・機械読取できしかも、汎用が可能に標準化・共通化を徹底して構成される。将来は人工知能による機械分拆も可能になるだろうか。このことは検討体（ＰＣＴ／ＪＰ２０１３／０７６７３２）の電子計算機（知能）による同一または連携された処理が検討される。可能なら複雑かつ変化が早い現在及び近未来以降の時代の要請に的確に対応しうる効果がある。特に汎用分折財は請求項１〜のように構成されることによって少種類の基本型と標準型及び応用型で広汎な使用に適用しうる可能性がある。特に検討体と併せて新時代の各種の課題に対応可能な基盤を遠目標とする所期の開発目標に沿うための１手段になる可能性も活用のされ方次第で明る���なる。【００４２】ｂ．  分折体は、人口分折装置が人口対処手段と、人口不利手段と、人口有利手段と、人口総合手段と、を具備して構成されている。従って、現在は実際に人口抑制対策が取られる事前にこれらの各手段・装置によってその結果があらかじめの予備知識として少くとも関係者全員が熟知することができる。これにより各手段等に対応した対策が取られ得るので人口抑制対策が計画性を有し慎重に図られる基盤が構成される。このことは現在として初めての対策であるが可能性が濃くなる根源の１つになる。現在・近未来以降は世界人口爆発の危険性がある。世界人口爆発が抑制されるか否かは人類の生存の維持に不可欠な必需材の限界や苦境到来の危機に決定的な影響を及ぼす。従って分折体が如何に扱われるかは近未来以降に相応の意義を有する。【００４３】ｃ．  分折体は、枯渇分折装置が枯渇対処手段と、枯渇不利手段と、枯渇有利手段と、枯渇総合手段と、を具備して構成されている。従って、現在は実際に枯渇抑制対策が取られる事前にこれらの各手段・装置によってその結果があらかじめの予備知識として少くとも関係者全員が熟知することができる。これにより各手段等に対応した対策が取られ得るので枯渇抑制対策が計画性を有し慎重に図られる基盤が構成される。このことは深刻な課題の初めての対策であるが可能性への根源の１つとなる。現在・近未来以降は資源枯渇が運命づけられている。資源枯渇が抑制されるか否かは人類の生存の維持に不可欠な必需材の限界や苦境到来の危機に決定的な影響を及ぼす。従って分折体の可能性の如何かは近未来以降に相応の意義を有する。
【図面の簡単な説明】
【００４４】
【図１】図１は現在に於ける必需材の特異状況を示す図である。
【図２】図２は石油資源の消費と氷冠の変動を示す図である。
【図３】図３は必需材の徴候と限界を示す図である。
【図４】図４は両制御体の連携の１例を示す図である。
【図５】図５は必需体の１実施例を示す図である。（実施例１）
【図６】図６は実用体の１実施例を示す図である。（実施例２）
【図７】図７は分折体（基本型）の１実施例を示す図である。（実施例３）
【図８】図８は分折体（基本型）の他実施例を示す図である。（実施例３）
【図９】図９は分折体（標準型）の１実施例を示す図である。（実施例３）
【図１０】図１０は分折体（枝葉型）の１実施例を示す図である。
【図１１】図１１は分折体（増枠型）の１実施例を示す図である。
【図１２】図１２は分折体（増頁型）の１実施例を示す図である。
【図１３】図１３は分折体（傾斜型）と従来例を示す図である。
【発明を実施するための形態】
【００４５】人類の生存の維持に不可欠な必需材（資源・エネルギー・環境・食料・人口・他）が成行型・放置型によって次々に波及的な限界を越えて苦境（破綻・危機・犠性・混乱・他）に陥る事前に、その回避を図るという目的を、該必需材を制御・養護するべく長期的に本来あるべき目標データの正しい制御を図る必需材と、該必需材の目標データの要因分折を図って最新技術（最新の電子計算機・インターネット・他）に対応した応汎な分折装置を構成する。該目標データが遂行されるべく最新技術（特に情報機・情報紙）の配置・掲載・表示により該遂行に必要な諸条件の要因や近未来の実体が分折される実体装置を構成する。該分折装置と該実体装置とを組合せることによって該必需材の適正化・養護・維持を図ることを目標として上記目的の実現の一手段を開発しようとしたものである。望ましくは上記電子計算機（最新）は人工知能が搭載された電子計算機（知能）を活用して人工知能による処理と人知処理との共働作用の可能性を検討する。さらにこの電子計算機（知能）は養護体・検討体（ＰＣＴ／ＪＰ２０１３／０７６７３２）と連携もしくは同一のものを併用して上記の検討体による処理との連携を強化して構成され、検討体による目標データの遂行を図って近未来への対応の１手段を図る。
【実施例１】＜必需体＞【００４６】図３（ａ）は統計白書のデータに基く現在の特異性を示す図、（ｂ）は社会の近代化・複雑化と必需材の限界等の推測を示す図、図４は必需管理体の組成の１例を示す図、図５は必需体の特性要因図の１例を示す図である。また、Ｇ００は養護体（必需体）、Ｇ１０は必需制御体、Ｇ１１は必需材、Ｇ１２は資源、Ｇ１３はエネルギー、Ｇ１４は環境、Ｇ１５は食料、Ｇ１６は適正人口、Ｇ２０は人口管理体、Ｇ２１は世界制御局、Ｇ２２は管理部、Ｇ２３は対策会議、Ｇ３０は表示体、Ｇ３１は情報機、Ｇ３２はインターネット、Ｇ３３は情報紙、Ｇ４０は広域構造、Ｇ４１は国際構造、Ｇ４２は国内構造、Ｇ５０は電子計算機、である。【００４７】必需体Ｇ００は必需材Ｇ１１のいずれもが既に限界の徴候が現れつつあるので、次々に限界を越えて苦境（破綻・危機・犠性・他）に落入る事前に新技術（電子計算機・インターネット・印刷物・他）を活用し組合せて制御目標の鋭意遂行に努め、持続的安定の基盤養護の一手段を図るものである。【００４８】必需体Ｇ００は既に限界の徴候が現れつつある状況下の今後の推測を分折し、現在の対応の一手段を図るために１例は必需体Ｇ１０を構成して近未来以降に続くべき一方策とした。現在は必需材Ｇ１１が既に限界の「微候」が現れつつある。現在は必需材Ｇ１１の特異性から従来の「成行型」「放置型」で難なく過ぎた時代は去った。このまゝ現在の状況が放置されれば必需材Ｇ１１は波及的に次々に限界を越える。必需材Ｇ１１は立直り難い捐害を受けた上に全体的には苦境（破綻・危機・犠性）に落入る。【００４９】現在は誠に難しいが近未来以降のために少くとも「制御型」「歴史型」が求められる時代へ突入した。何とか現在は近未来以降に大きな禍根を残さぬ対策が探索されないだろうか。必需材Ｇ１１は全て拡大していく中で他方では時代の「近代化」「複雑化」が進むのでこれらを考慮に入れ難しい対応が必要とされる。その手段１は科学的な根拠が必要であるから電子計算機Ｇ５０に諸種の要因に連携したデータを入力して各必需材Ｇ１１が互いに影響し合っている要因が分折されつつ制御目標が出力される。科学的な根拠と科学的な処理があって初めて万人は納得して更新が必要と認める。手段２は制御目標が鋭意遂行されるべく世界制御局Ｇ２１の機能が細分化・分担された制御部Ｇ２２との連携による広域構造Ｇ４０が構成される。必需材Ｇ１１はどれも皆人間生活に深く係り無くてはならぬものである。
実施例２  ＜実用体＞【００５０】現在・近未来以降が遂行すべき最新技術（例えばインターネット）による技術浸透装置の１実施例について図を参考にして以下に説明する。図６は実用体の１実施例を示す図である。またＧ００は必需体、Ｇ６０は実用体、Ｇ６１は中央材、Ｇ６２は中核材、Ｇ６３は地方材、Ｇ６４は派生材、Ｇ１１は必需材、Ｇ２０は人口制御局、Ｇ２１は広域制御局、Ｇ２２は対策会議、Ｇ３０は表示体、Ｇ３３は目標データ、Ｇ３１は情報機、Ｇ３２はインターネット、Ｇ４０は広域制御、Ｇ５０は電子計算機、である。【００５１】実用体は現在・近未来以降の課題に対抗して開発されたシステム開発等は時代を反映して複雑なものが多く、未広域の地域に極力早期に実用化を図ることが必要とされる。本実施例は情報機、特にインターネットを活用してその独得の特性とシステム開発、（例えば人類の広域の生存の維持に不可欠な必需材）等の独得の特性とを組合わせて相乗的効果の創出を図って所期の目標を達成せんとするものである。例えば実用体は年々関係者の数は最終的には住民の多くへの実用化を図るものであるから年々増大する傾向にある。最終に近くになる程超多数人になるので関係者の全員が集るに収容しうるだけの会場がない。仮に多数回に分けて多数の会場で実用化の指導を図るにしても超多数人が多数の会場へ往復する移動等の労力的・時間的・経費的な不利面の総計は膨大なものである。会場に集っても当日にシステム開発の技術を即座に習得を図ることは非常に難しいし関係者の都合もある。本実施例はこれらの多方面の不利をインターネットを活用することによって一挙に解決を図るものである。即ち超多数の関係者は職場・出先機関・自宅等を離れることなく各人が各々の持場で単にインターネットの画面を注視するだけで最適の技術浸透手段の開発を図らんとするものである。【００５２】実用体Ｇ６０は目標を達成するために必需材Ｇ１１の形態は複数の書面が細長い帯状に連接されて半連続的・半自動的にインターネットＧ３２に表示されて極力早期に効率的な表示が可能になるよう構成される。また多数のインターネットＧ３２の持続や表示手段については所期の目標と必需材（書）Ｇ１１の形態と合わせて独自のものが開発される。【００５３】実用体Ｇ６０は広域社会との連携が必要になってくる。例えば〔実施例２〕の列挙体は広域社会で使用されている必需材Ｇ１１は社会を調査するものである。この広域社会に広く訴える力は（世界）統計白書に基づいた科学的根拠と、上記諸要因を入力した最新の電子計算機で制御推計して出力された制御目標と、必需材Ｇ１１の全体の責任や権限が付与された広域制御局Ｇ２１の方針と、広域の全責任者が集い構成された対策会議Ｇ２３に於いて入念に審議された結果決議された権威ある議決と、例えば〔世界−国−県−地方〕の広域構造に所属する各制御部Ｇ２２と、である。またこの広域構造Ｇ４０は人口制御局Ｇ２０の構造が活用されないか検討する。さらに手段３は、議決要旨等の重要事項は広域に影響を及す表示体Ｇ３０に表示する。特にインターネットＧ３２は世界中の双方向の通信網であるから必需体Ｇ００の支援機能として有効である。必需体Ｇ００は長期に繰返し表示され次第に改善され向上���れて目標の型の必需体Ｇ００が構成される。【００５４】必需体Ｇ００はインターネットＧ３２等の情報材Ｇ１１を活用して広域に侵透され易く構成される。実用体Ｇ６０は必需材Ｇ１１自体も広域に理解され易く開発趣旨等が簡明な説明付で掲載される。インタネットＧ３２等の情報機Ｇ３１は広域の重要な拠点となるべく中央と支部機関（例えば公的な政務他を受け持つ役所等に付髄した拠点）を中心に略放射状・核分裂状に配置される。【００５５】実用体Ｇ６０は広域の地域に略放射状・核分裂状に配置された多数の支部機関がインターネットＧ３２等によって必需材Ｇ１１の内容や趣旨等が広域に浸透され易く連接される。中央と支部機関とは例えば中央材Ｇ６１・中核材Ｇ６２・地方材Ｇ６３・派生材Ｇ６４を拠点にして実用化されるべくインターネットＧ３２によって系統構造的に連接される。これによって実用体Ｇ６０は中央と支部機関とは上記のように世界−国−県−地方、が連設される。地方材Ｇ６３は地域に密着し各施設や各住宅とも連携がとられる。【００５６】実用体Ｇ６０はその概略構成が略ピラミッド型になるように略核分裂型に配置された多数のインターネットＧ３２を介して接続される。（図６）実用体Ｇ６０は長期的に本来あるべき制御目標が適正に制御され、近未来以降の持続的安定を遠目標にその基盤の一手段が構成される。実用体Ｇ６０は実用化に際しては各種の情報材Ｇ１１が指導的事項の一翼を任うべく支援を受ける支援装置として補佐的作用も含めて構成される。
実施例３  ＜分折体＞【００５７】図７は分折体（基本型）の１実施例を示す図、図８は分折体（基本型）の他の実施例を示す図、図９は分折体（標準型）の１実施例を示す図、図１０は分折体（枝葉型）の１実施例を示す図、図１１は分折体（増枠型）の１実施例を示す図、図１２は分折体（増頁型）の１実施例を示す図である。【００５８】またＨ００は分折体（分折装置）、Ｈ１０は汎用分折財（基本型）、Ｈ２０は汎用分折財（標準型）、Ｈ２１は表示素材、Ｈ２２は横短縁、Ｈ２３は縦長縁、Ｈ３０は基本枠、Ｈ３１は分折財名枠、Ｈ３２は管理枠、Ｈ３３は課題枠、Ｈ３４は目標枠、Ｈ３５は項目枠、Ｈ３６は標準欄、Ｈ３７は増設枠、Ｈ３８は分断枠、Ｈ３９は分断欄、Ｈ４０は間隔点、Ｈ４１は行線、Ｈ５０は本線、Ｈ５１は枝線、Ｈ５２は枝因、Ｈ５３は葉線、Ｈ５４は葉因、Ｈ６０は応用型、Ｈ６１は標準型、Ｈ６２は増欄型、Ｈ６３は分断型、Ｈ６４は増枠型、Ｈ６５は増頁型、Ｈ６６は縦連型、Ｈ６７は横連型、Ｈ７０は最新技術、Ｈ７１は電子計算機（最新）、Ｈ７２は電子計算機（知能）、Ｈ７３はインターネット、Ｈ８０は分折体（事象）、Ｈ８１は汎用分折財（事象）、Ｈ９０は活用体であり、これを源に近未来以後の課題への可能性を検討する。【００５９】まず最初に分折体Ｈ００の中核的な構成である汎用分折財（基本型）Ｈ１０とその応用型Ｈ６０の関連を説明し、さらに活用体Ｈ９０との関連についてその概略を説明する。汎用分折財（基本型）Ｈ１０は図７及び図８に於いて示すように定型の基本枠Ｈ３０の配置と、その基本枠Ｈ３０である課題枠Ｈ３３及び目標枠Ｈ３４とを連接する本線Ｈ５０と、定間隔の間隔点Ｈ４０と、その間隔点Ｈ４０を接続して形成される項目枠Ｈ３５と、必要により間隔点Ｈ４０間に記載して形成される標準欄Ｈ３６とによって構成される。【００６０】基本枠Ｈ３０を含む各枠及び標準欄Ｈ３６はその記載方向が本線Ｈ５０に対して一律に全て略直角の方向（例えば表示素材Ｈ２１の横端縁Ｈ２２に対して一律に平行の方向）に配置される。間隔点Ｈ４０は必要に応じて増枠型Ｈ６４や増欄型Ｈ６２が構成可能に配置される。なお、項目枠Ｈ４０と本線Ｈ５０は枝線Ｈ５１で、項目枠Ｈ３５と標準欄Ｈ３６は、葉線Ｈ５３等の矢線によって接続される。汎用分折財（基本型）Ｈ２０はこれを源にして縦連型Ｈ６６や横連型Ｈ６７の構成を初め各種の応用型に発展し基本型を源にして定型でありながら略全ての汎用分折が可能になると推定される。しかも全て機械記載・機械読取・人知記載・人知分折の便が図られる。人工知能の活用は研究段階であり検討中である。
本件の分折体はその開発の趣旨は下記の通りである。汎用事項も分拆の対象とされる。【００６１】本実施例の分折体は過去・現在に於いて人類が体験し現在も継続しつつあり、近未来以降も継続すると推定されている大〜小の諸種の課題に対して、新らしく開発された汎用分折財の活用によって該課題の要因や関連事項等の的確な分折を検討し近未来以降の諸種の困難な難事を検討する１手段になると推定される。【００６２】このために現在の特性要因図の機能の根源を掘下げて徹底的な標準化・定型化・記載事項の略定位置化を可能にして現在・近未来以降の複雑な事情への対応の一手段を開発する。これによって必然的に可能になった電子計算機（最新）による機械記載・機械読取によって整然とした定型の基本枠・標準欄への整然とした活字体による略定位置での表示を可能とし人知分折の可能性を検討する。【００６３】仮に電子計算機（知能）によるこれらの処理が可能となった場合には近い将来に於いて人工知能による機械分折と併せて人知分折と共働作用の可能性を研究する。これは研究段階であるが仮にその効果があると判断された場合にはさらに実用化を検討する。そして汎用分折財は各個人・各集団・各国に於いて将来何らかの可能性があると判断された場合には各検討・対策会議への道を開き、複雑かつ変化の早い現在・近未来以降への根源的な対応の可性性の１手段が検討される。【００６４】さらに汎用分折財（事象）はその基本型が汎用分折財（標準）のものの約２倍の長さの記載行を備えて構成する。（即ち本線は素材面の略中央から片方の側縁へ移設する。）標準欄は単語や短文のみでなく必要な長さの箇条書でも機械記載が可能にされる。汎用分折財（事象）はこの標準欄に於いて諸事象（例えば請求項２１〜２５等の世界的課題）に於ける代表的な事実関係が極力箇条書で記載される。そしてこれらの箇条書は汎用分折財（事象）によって分折され項目枠や各標準欄に移して機械記載される。これは汎用分折財（標準）でさらに分折されて機械記載され各種の対策会議で協議される。システム化も可能で世界的課題は新しい情報に基いた分折が協議され解決の１手段となり課題解決が例えば傍観的でなく世界的な検討も可能な問題となり解決の糸口になる。【００６５】「人間は間違い易い動物である。」とされている。汎用分折財は多種の状況に直面する一般の自然人に於かれても分折可能である。多種の情報が入力された電子計算機（知能）による出力が参考可能となり、人知分折と併せ人口知能の活用が検討される。【００６６】実施例４  ＜活用体＞
実施例３＜検討体＞で開発された技術を活用した１例を以下に掲載する。
実施例３の前記養護体は、現在・近未来以降の課題に対抗して開発されたシステム開発（１例は検討体、必需体）や日常の一般的な汎用事項の諸分折による総合的・根源的な検討・対応用に一般の特性要因図の徹底的な標準化を兼ねて構成され、略全ての記載・確認の機械化を図るべく標準化・定型化された基本枠・標準欄を備え少数種の基本型やその応用型の組合せによって路全ての汎用分折が可能で、電子計算機（最新型や人工知能型）による処理を検討し機械処理及び人知処理（記載・読取・分折・検討・他）や他装置との連携・高速化・大量化・等を目標に構成された基本型や標準型を含む分折装置と、望ましくは長期的に本来あるべき現在等や近未来以降の前記必需材の目標データの遂行を図るうえで必要事項の分折及び近未来の実体の分折を図るべく最新技術（最新の電子計算機・インターネット・他）に対応して構成された前記検討体等の実体装置と、を具備し、近未来以降の該課題等が次々に限界を越えて前記苦境に陥る事前に極力持続的安定を遠目標にその１手段を図ることを特徴とするよう構成されている。【００６７】請求項１の汎用分折財が、特性要因図の構成のエツセンスである目標枠と本線と新しく加えた課題枠を含み、本線に対して略直角の横長方向の項目枠の配置及びその記載位置が略定型化された基本枠と標準欄とによって定型化して構成されている。定型化・略定位置化されることは深刻な課題や解決目標との因果関係が常に人知の頭脳中に鮮明な印象として残ることである。人知は課題の解決に道筋が探究できる可能性を求めて常時、意識あるいは無意識の中で解決に向けてアタックするだろう。解決困難な難事に対しても鉄壁に孔をあけまたは乗越える事も無いとは限らない。しかも全て機械記載されるから多くの人知に対して明確に課題・目標・諸要因の項目が頭中に残る。汎用分折財の定型の構成が整然とされ活字記載されることは多数の頭中にも整然として残像するだろう。【００６８】課題は地球規模でも難事であっても問題は壁に穴をあけ得るか、または壁を乗越え得るかによって決まる。新発想が汎用分折財で生れるか否かは未定であるが将来は権利書の踏み台の役目もあるとすれば小さな１歩の中介財として生きうる。汎用分拆書は無限とされている人知と人知とを結ぶ中介財としても生きうる。【００６９】実施例３の前記養護体は、前記基本枠（例えば課題枠・目標枠・項目枠）と項目線で接続されるべく（縦長）矩形の表示素材の（横）端縁に略直角で縦長方向に配置された本線と、該本線に略直角の（横長）方向に記載方向が一律に統一され機械処理及び人知処理の便宜（例えば記載・読取・分折・検討・諸取扱い・保管管理・対比・連携・品質管理・集約化・新課題探索・機械化の推進・能率化・他）を図って略統一した一律の方向に配置され徹底した標準化・定型化を可能に構成された該各枠、及び該項目枠と枝葉線で連接された標準欄（枝因欄・葉因欄）と、基本枠・標準欄を形成用に該基本枠の側部両側に配置された略定間隔の複数の間隔点と、を含んで構成された前記汎用分折財（標準）を備え、その応用型との組み合せによって略全ての要因の分折や特性要因図の機能を含み、多方面への汎用分折・機械化・統一化が可能に構成されている。【００７０】１実施例３の前記養護体は、極力徹底的に標準化・定型化・共通化・統一化・機械化・汎用化・能率化・等を追求して構成された前記汎用分拆財（基本型）と、統一化された前記間隔点の配置・接続によって前記項目枠に記載された事項等から派生される派生事項例えば枝因・葉因等が機械的に機械記載・機械読取されるべき標準欄（枝葉欄）を備えて構成された汎用分折財（標準型）と、該間隔点の選択された接続によって形成される項目事項が追加して記載されるべき増枠型と、該汎用分折財（標準）の複数枚が縦方向に連接された項目枠による奥深い垂直的概念の分折が可能に構成された縦連型と、該汎用分折財（標準）の複数枚が横方向（側縁）が連接されて幅広い並列的概念の分折や、例えば特性要因図の突出した異形部を標準記載用で標準形の汎用分折財（標準）の応用で対応可能な横連図と、を含む増頁型と、を具備し、前記機械処理・人知処理の前記便宜を図りつつ、複雑かつ変化が早く広汎な現在・近未来以降の課題に備えて多方面への汎用分折・機械化・能率化が可能に構成されている。【００７１】実施例３の前記養護体は、標準化・定型化・汎用化された前記汎用分折財が例えば人工知能等によって機械処理されるよう所定の中核的な地域に配置された中核的な電子計算機（最新及び知能）の中核技術と、該電子計算機（最新及び知能）と周辺の各地域とが連接されるべく必要な周辺地域に配置される周辺的な電子計算機、及び関連の最新技術（電子計算機・インターネット・他）による周辺技術と、それらの中核的及び周辺的な電子計算機に関連の最新技術を活用する活用技術と、該電子計算機（知能）による機械分折に人知分折を融合した融合技術と、を具備して構成されている。【００７２】実施例３の前記養護体は、過去・現在・近未来以降の地球規模の深刻な課題である苦境（破綻・危機・犠性・他）や異常気象や大地震や大台風や大津波や戦争等の実際の体験事項や推定事項が極力事実・推定・他に基づいて分拆される前記標準欄と、該標準欄の記載事項が分類・整理されて数種の項目に分けて前記汎用分折財に機械記載・機械読取や人知記載・人知読取・諸検討が可能に標準化・定型化して構成された汎用分折財（事象）と、該事象分折財（事象）に基づいて専門知識を有する専門層・関係者によって今後に対処されるべき事項が分折され集約化され各々への対処事項が分折される汎用分折財（対処）と、該各分折財に基づいて今後の根源的・総合的な対策や救済事項が分折・検討・協議される汎用分折財（根源）と、を具備して構成されている。【００７３】実施例３の前記養護体は、現在・近未来以降の諸種の状況の個人や諸種の状況の団体（例えば世界・各国・各企業・各施設・親族・各公共団体・他）に於ける過去〜近未来以降の諸課題や難局や諸行動の岐路に対処するべき諸種の岐路対処手段が分折される現在・近未来以降の対処分折手段と、該対処分折手段が実施された場合の近未来以降の不利面が分折される対処不利手段と、該対処分折手段が実施された場合の近未来以降の有利面が分折される対処有利手段と、該対処分折手段を検討するべき岐路対策装置と、を具備して構成されている。【００７４】実施例３の前記養護体は、過去・現在の人類の活動・生活様式・世界人口激増の結果として必需材に大きな影響が発生しつつあり、限界・苦境（破綻・危機・犠性・他）が止むを得ず懸念される現在、少くとも諸集団・個人の生活形態の転換が全体的に求められる近未来以降に於いて諸課題や難局や諸活動の岐路に対処するべき諸種の岐路対処手段が分折される生活形態の対処分折手段と、該対処分折手段が実施された場合の集団・個人の不利面が分折される対処不利手段と、該対処分折手段が実施された場合の集団・個人の有利面が分折される対処有利手段と、該対処分折手段が実施された場合の総合事項が分折される対処総合手段と、を具備して構成されている。【００７５】実施例３の前記養護体は、現在・近未来以降に運命づけられているエネルギー不足に関し、核融合の止むを得ない課題や今後に於いて検討・対処されるべき諸種の対処事項が分折される融合対処手段と、該融合対処手段が実施された場合に近未来以降の不利面が分折される融合不利手段と、該融合対処手段が実施された場合の望ましい有利面が分折される融合有利手段と、その他の諸種事項や総合事項が中小折り曲ぜて分折される融合総合手段と、を検討用の核融合対策装置を具備して構成されている。【００７６】実施例３の前記養護体は、現在・近未来以降に運命づけられている世界人口の激増の危機的事項に対処するべき諸種の人口対処手段が分折される人口対処手段と、該人口対処手段が実施された場合に不利であると懸念される手段が分折される人口不利手段と、人口対処手段が実施される場合の望ましい有利手段が分折される人口有利手段と、その他の諸種事項や総合事項が中小拆り曲ぜて分折される人口総合手段と、を検討用の人口分折装置を具備して構成されている。またＭ２０は人口体、Ｍ２１は人口対処手段、Ｍ２１は人口不利手段、Ｍ２２は人口有利手段、Ｍ２３は人口総合手段、である。【００７７】実施例３の前記養護体は、現在・近未来以降に運命づけられている天然の材料資源・エネルギー資源の各資源の止むを得ない資源枯渇の危機的事項に対処するべき諸種の対処手段が分折される枯渇対処手段と、該枯渇対処手段が実施された場合に不利であると、懸念される手段の枯渇不利手段と、該枯渇対処手段が実施される場合の望ましい有利手段が分折される枯渇有利手段と、その他の諸種事項や総合事項が中小折り曲ぜて分折される枯渇総合手段と、を検討用の枯渇分折装置を具備して構成されている。またＭ３０は枯渇体、Ｍ３１は枯渇対処手段、Ｍ３２は枯渇不利手段、Ｍ３３は枯渇有利手段、Ｍ３４は枯渇総合手段、である。【００７８】実施例３の前記養護体は、現在・近未来以降の止むを得ない運命であるエネルギー不足の危機的事項等に対処するべき諸種のエネルギー対処手段が分拆されるエネルギー対処手段と、該エネルギー対処手段が実施された場合の近未来以降の不利面が分折されるエネルギー不利手段と、該エネルギー対処手段が実施された場合の近未来以降の有利面が分折されるエネルギー有利手段と、該エネルギー対処手段の実施に必要なその他の総合対策が分折されるエネルギー総合手段と、を検討用のエネルギー対策装置を具備して構成されている。またＫ１０はエネルギー体、Ｋ１１はエネルギー対処分折手段、Ｋ１２はエネルギー不利手段、Ｋ１３はエネルギー有利手段、Ｋ１４はエネルギー総合手段、である。【００７９】実施例３の前記養護体は、現在・近未来以降の止むを得ない運命である食料不足の危機的事項等に対処するべき諸種の食料対処手段が分拆される食料対処手段と、該食料対処手段が実施された場合の近未来以降の不利面が分折される食料不利手段と、該食料対処手段が実施された場合の近未来以降の有利面が分折される食料有利手段と、該食料対処手段の実施に必要なその他の総合対策が分折される食料総合手段と、を検討用の食料対策装置を具備して構成されている。またＫ２０は食料体、Ｋ２１は食料対処分折手段、Ｋ２２は食料不利手段、Ｋ２３は食料有利手段、Ｋ２４は食料総合手段、である。【００８０】実施例３の前記養護体は、現在・近未来以降の止むを得ない運命である地球温暖化の危機的事項等に対処するべき諸種の温暖対処手段が分拆される温暖化対処手段と、該温暖対処手段が実施された場合の近未来以降の不利面が分折される温暖化不利利手段と、該温暖対処手段が実施された場合の近未来以降の有利面が分折される温暖化有利手段と、該温暖対処手段の実施に必要なその他の総合対策が分折される温暖化総合手段と、を検討用の温暖対策装置を具備して構成されている。またＫ３０は温暖化体。Ｋ３１は温暖化対処分折手段、Ｋ３２は温暖化不利手段、Ｋ３３は温暖化有利手段、Ｋ３４は温暖化総合手段、である。【００８１】実施例３の前記養護体は、現在・近未来以降の止むを得ない運命である原子力発電の危機的事項等に対処するべき諸種の原発対処手段が分拆される原発対処手段と、該原発対処手段が実施された場合の近未来以降の不利面が分折される原発不利手段と、該原発対処手段が実施された場合の近未来以降の有利面が分折される原発有利手段と、該原発対処手段の実施に必要なその他の総合対策が分折される原発総合手段と、を検討用の原発対策装置を具備して構成されている。またＫ４０は原発体、Ｋ４１は原発対処分折手段、Ｋ４２は原発不利手段、Ｋ４３は原発有利手段、Ｋ４４は原発総合手段、である。【００８２】実施例３の前記養護体は、現在・近未来以降の止むを得ない運命である廃棄物増大の危機的事項等に対処するべき諸種の廃棄処理手段が分拆される廃棄対処手段と、該廃棄対処手段が実施された場合の近未来以降の不利面が分折される廃棄不利手段と、該廃棄対処手段が実施された場合の近未来以降の有利面が分折される廃棄有利手段と、該廃棄対処手段の実施に必要なその他の総合対策が分折される廃棄総合手段と、を検討用の廃棄対策装置を具備して構成されている。またＫ５０は廃棄体、Ｋ５１は廃棄対処分折手段、Ｋ５２は廃棄不利手段、Ｋ５３は廃棄有利手段、Ｋ５４は廃棄総合手段、である。【００８３】実施例３の前記養護体は、現在・近未来以降の止むを得ない運命である氷期到来の危機的事項等に対処するべき諸種の氷期対処手段が分拆される氷期対処手段と、該氷期対処手段が実施された場合の近未来以降の不利面が分折される氷期不利手段と、該氷期対処手段が実施された場合の近未来以降の有利面が分折される氷期有利手段と、該氷期対処手段の実施に必要なその他の総合対策が分折される氷期総合手段と、を検討用の氷期対策装置を具備して構成されている。また、Ｌ１０は氷期体、Ｌ１１は氷期対処分折手段、Ｌ１２は氷期不利手段、Ｌ１３は氷期有利手段、Ｌ１４は氷期総合手段、である。【００８４】実施例３の前記養護体は、現在・近未来以降の止むを得ない運命である地球高温化（第２金星化）の危機的事項等に対処するべき諸種の高温化対処手段が分拆される高温化対処手段と、該高温化対処手段が実施された場合の近未来以降の不利面が分折される高温化不利手段と、該高温化対処手段が実施された場合の近未来以降の有利面が分折される高温化有利手段と、該高温化対処手段の実施に必要なその他の総合対策が分折される高温化総合手段と、を検討用の高温化対策装置を具備して構成されている。また、Ｌ２０は高温化体、Ｌ２１は高温化対処手段、Ｌ２２は高温化不利手段、Ｌ２３は高温化有利手段、Ｌ２４は高温化総合手段、である。【００８５】実施例３の前記養護体は、現在・近未来以降の止むを得ない運命である大津波の危機的事項等に対処するべき諸種の大津波対処手段が分拆される大津波対処手段と、該大津波対処手段が実施された場合の近未来以降の不利面が分折される大津波不利手段と、該大津波対処手段が実施された場合の近未来以降の有利面が分折される大津波有利手段と、該大津波対処手段の実施に必要なその他の総合対策が分折される大津波総合手段と、を検討用の大津波対策装置を具備して構成されている。また、Ｌ３０は大津波体、Ｌ３１は大津波対処手段、Ｌ３２は大津波不利手段、Ｌ３３は大津波有利手段、Ｌ３４は大津波総合手段、である。【００８６】実施例３の前記養護体は、現在・近未来以降の止むを得ない運命である砂漠化の危機的事項等に対処するべき諸種の砂漠化対処手段が分拆される砂漠化対処手段と、該砂漠化対処手段が実施された場合の近未来以降の不利面が分折される砂漠化不利手段と、該砂漠化対処手段が実施された場合の近未来以降の有利面が分折される砂漠化有利手段と、該砂漠化対処手段の実施に必要なその他の総合対策が分折される砂漠化総合手段と、を検討用の砂漠化対策装置を具備して構成されている。また、Ｌ４０は砂漠化体、Ｌ４１は砂漠化対処手段、Ｌ４２は砂漠化不利手段、Ｌ４３は砂漠化有利手段、Ｌ４４は砂漠化総合手段、である。【００８７】実施例３の前記養護体は、現在・近未来以降の止むを得ない運命である森林破壊の危機的事項等に対処するべき諸種の森林対処手段が分拆される森林対処手段と、該森林対処手段が実施された場合の近未来以降の不利面が分折される森林不利手段と、該森林対処手段の実施された場合の近未来以降の有利面が分折される森林有利手段と、該森林対処の手段の実施に必要なその他の総合対策が分折される森林総合手段と、を検討用の森林破壊対策装置を具備して構成されている。また、Ｌ５０は森林体、Ｌ５１は森林対処手段、Ｌ５２は森林不利手段、Ｌ５３は森林有利手段、Ｌ５４は森林総合手段、である。【００８８】実施例３の前記養護体は、現在・近未来以降の止むを得ない運命である苦境到来の危機的事項等に対処するべき諸種の苦境対処手段が分拆される苦境対処手段と、該苦境対処手段が実施された場合の近未来以降の不利面が分折される苦境不利手段と、該苦境対処手段が実施された場合の近未来以降の有利面が分折される苦境有利手段と、該苦境対処手段の実施に必要なその他の総合対策が分折される苦境総合手段と、を検討用の苦境対策装置を具備して構成されている。また、Ｍ１０は苦境体、Ｍ１１は苦境対処手段、Ｍ１２は苦境不利手段、Ｍ１３は苦境有利手段、Ｍ１４は苦境総合手段、である。【００８９】実施例３の前記養護体は、現在・近未来以降の止むを得ない運命である異常気象の危機的事項等に対処するべき諸種の異常気象対処手段が分拆される異常気象対処手段と、該異常気象対処手段が実施された場合の近未来以降の不利面が分折される異常気象不利手段と、該異常気象対処手段が実施された場合の近未来以降の有利面が分折される異常気象有利  段と、該異常気象対処手段の実施に必要なその他の総合対策が分折される異常気象総合手段と、を検討用の異常気象対策装置を具備して構成されている。また、Ｍ２０は異常気象対処手段、Ｍ２１は異常気象対処手段、Ｍ２２は異常気象不利手段、Ｍ２３は異常気象有利手段、Ｍ２４は異常気象総合手段、である。【００９０】実施例３の前記養護体は、現在・近未来以降の止むを得ない運命である大地震の危機的事項等に対処するべき諸種の大地震対処手段が分拆される大地震対処手段と、該大地震対処手段が実施された場合の近未来以降の不利面が分折される大地震不利手段と、該大地震対処手段が実施された場合の近未来以降の有利面が分折される大地震有利手段と、該大地震対処手段の実施に必要なその他の総合対策が分折される大地震総合手段と、を検討用の大地震対策装置を具備して構成されている。また、Ｍ３０が大地震体、Ｍ３１は大地震対処手段、Ｍ３２は大地震不利手段、Ｍ３３は大地震有利手段、Ｍ３４は大地震総合手段、である。【００９１】実施例３の前記養護体は、現在・近未来以降の止むを得ない運命である大台風の危機的事項等に対処するべき諸種の大台風対処手段が分拆される大台風対処手段と、該大台風対処手段が実施された場合の近未来以降の不利面が分折される大台風不利手段と、該大台風対処手段が実施された場合の近未来以降の有利面が分折される大台風有利手段と、該大台風対処手段の実施に必要なその他の総合対策が分折される大台風総合手段と、を検討用の大台風対策装置を具備して構成されている。また、Ｍ４０は大台風対処手段、Ｍ４１は大台風不利手段、Ｍ４２は大台風有利手段、Ｍ４３は大台風総合手段、である。【００９２】実施例３の前記養護体は、現在・近未来以降の止むを得ない運命である戦争の危機的事項等に対処するべき諸種の戦争対処  段が分拆され、戦争対処手段と、該戦争対処手段が実施された場合の近未来以降の不利面が分折される戦争不利手段と、該戦争対処手段が実施された場合の近未来以降の有利面が分折される戦争有利手段と、該戦争対処手段の実施に必要なその他の総合対策が分折される戦争総合手段と、を検討用の戦争対策装置を具備して構成されている。また、Ｍ５０は戦争体、Ｍ５１は戦争対処手段、Ｍ５２は戦争不利手段、Ｍ５３は戦争有利手段、Ｍ５４は戦争総合手段、である。
【産業上の利用可能性】
【００９３】本件開発は実施例のものに限定されることなく下記への適用も研究・検討中である。
１）実施例１は必需材（資限・エネルギー・環境・食料・人口）への適用を実施例として提示した。この必需材は１つの適用例であって、［請求項］に掲載の通り実際にはシステム開発［現在・近未来以降の課題に対抗して開発された開発］への略全般への適用が可能であり、研究・検討中である。【００９４】２）実施例（１〜４）に掲載の技術思想は単に技術開発の分野のみに限定されることなく、経済界・行政組織・各種団体・個人の家庭の諸活動に於いても適用可能であると推定される。これによって近未来は分折する範囲が格段に広くなり、かつ近未来の極力長期の年月を含めた分折体によって大きな誤りを少い活動が可能になる、と推定される。これらの活動は電子計算機・インターネット・他の最新技術の活用で的確になり、連携の輪も大幅に広ると推定される。【００９５】３）実施例１の必需体（人口）は、世界人口を例にとってその根源的原因である各国・各地域・各年代にデータ表の中で根源策用に実行の精度を具現化し、責任範囲を明確にして実現・実行の成果に結びつきうるよう構成されている。この技術思想は人口問題に限定されることなく、必需材のその他の項目への適用も可能になると推定される。【００９６】４）また上記の技術思想は、諸種の人間活動に於いて解決困難な難問に直面した場合に、もし分折が可能で活用できるものであれば、その根源的な解決に向けて過去の実績データ・近未来の予測データを検討しつつ長期的に本来あるべき近未来の要因が分折できれば要因と併せ、かつ目標データの遂行と併せて各年代毎に分折して動けば、初期の解決困難な難事は自ずから解決に向うと推定される。人間の活動は全て、過去・現在・近未来へと密接な関連性を備えて成立っている。これらの関連性は分拆財等の中に対照的に設定し、汎用分折財で分折することである。これにより格段に能動的・積極的に難問解決に向けて目標達成に努めることになる。【００９７】５）「人も、人の集団も間違い易い動物である」とされている。人は諸種の都合があり、利害で動き易く、安易に流れ易く、成行任せになりがちで、複雑なことを好まない。行動や活動の枠を設けることが難手で、近未来を意識しない。全て自由を好む。これは人情であり人間の弱点である。人の集団はその数倍の規模になり勝ちである。現在まではそれで何とか通った時代もあった。しかし、現在以降では現在最優先等は通用しなくなった。例えば人類の生存に不可欠な必需材がどれも限界に向っており、その先々は間違いなく前記苦境が待っている。枯渇目前の資源・エネルギー・環境を前に電力消費は拡大一方で世界人口は激増中である。これらの流れを止め、抑制する手段が無いとすれば近未来は誠に難しい。【００９８】６）「人も、人の集団も自ら歩んでいる道が何処に通じるか意識しなくなっている。」とすれば近未来は一体何うなるか。この道がどんな道かを客観的に示すのはデータではなかろうか。そうであればそのデータ表の中に長期的に本来あるべき望ましい「行動の枠」を自ら設けるべきだ。この枠に相当するものが「分折財と目標データ」がその１例である。現在はこの枠を遂行すべき要因を分折すべきだ。この枠が「産業上の利用可能性」があるか否かは各時代が自ら決定されるべきである。少しでもより良い近未来を後世に残すにはこの枠は最底限の規制である。なおこの「枠は責任と権威のある対策会議で設定され議決されるべき」事項である。【００９９】７）徹底されるべき節電は具体的な運用は極力法制装置によって決定される。本来の目標が達成されるまで乱れなく一定の年月間に整然と秩序正しく運用されるか、否かは法制装置に依るところが大きい。従って、法制装置はあらかじめ一定の地域で試験的に実施された「試験確認」で必要な法制が全て届出され協議・議決される。なお産業上の利用はこの法制装置に沿って成される。【０１００】Ｈ００…分折体（分折装置）、Ｈ１０…汎用分折財（基本型）、Ｈ２０…汎用分折財（標準型）、Ｈ２１…表示素材、Ｈ２２…横短縁、Ｈ２３…縦長縁、Ｈ３０…基本枠、Ｈ３１…分折財名枠、Ｈ３２…管理枠、Ｈ３３…課題枠、Ｈ３４…目標枠、Ｈ３５…項目枠、Ｈ３６…標準欄、Ｈ３７…増設枠、Ｈ３８…分断枠、Ｈ３９…分断欄、Ｈ４０…間隔点、Ｈ４１…行線、Ｈ５０…本線、Ｈ５１…枝線、Ｈ５２…枝因、Ｈ５３…葉線、Ｈ５４…葉因、Ｈ６０…応用型、Ｈ６１…標準型、Ｈ６２…増欄型、Ｈ６３…分断型、Ｈ６４…増枠型、Ｈ６５…増頁型、Ｈ６６…縦連型、Ｈ６７…横連型、Ｈ７０…最新技術、Ｈ７１…電子計算機（最新）、Ｈ７２…電子計算機（知能）、Ｈ７３…インターネット、Ｈ８０…分折体（事象）、Ｈ８１…汎用分折財（事象）、Ｈ９０…活用体。Ｇ６０…実用体、Ｇ６１…中央材、Ｇ６２…中核材、Ｇ６３…地方材、Ｇ６４…派生材、Ｇ１１…必需材、Ｇ２０…人口制御局、Ｇ２１…広域制御局、Ｇ２２…対策会議、Ｇ３０…表示体、Ｇ４２…目標データ  Ｊ００…活用体、Ｊ１０…核融合体、Ｊ２０…人口体、Ｊ３０…枯渇体、Ｋ１０…エネルギー体、Ｋ２０…食料体、Ｋ３０…温暖化体、Ｋ４０…原発体、Ｋ５０…廃棄体、Ｌ１０…氷期体、Ｌ２０…高温化体、Ｌ３０…大津波体、Ｌ４０…砂漠化体、Ｌ５０…森林体、Ｍ１０…苦境体、Ｍ２０…異常気象体、Ｍ３０…大地震体、Ｍ４０…大台風体、Ｍ５０…戦争体。
［受託番号］
［配列表フリーテキスト］
［配列表］
明細書                        ［発明の名称］  ［技術分野］
［先行技術文献］              ［発明の概要］  ［図面の簡単な説明］
［発明を実施するための形態］                  ［産業上の利用可能性］
［符号の説明］                ［受託番号      ［配列表フリーテキスト］
［配列表］                    ［受託番号］    ［配列表フリーテキスト］
特許請求の範囲  要約書
【図１】
2014123383.tif 000003
【図２】
2014123383.tif 000004
【図３】
2014123383.tif 000005
【図４】
2014123383.tif 000006
【図５】
2014123383.tif 000007
【図６】
2014123383.tif 000008
【図７】
2014123383.tif 000009
【図８】
2014123383.tif 000010
【図９】
2014123383.tif 000011
【図１０】
2014123383.tif 000012
【図１１】
2014123383.tif 000013
【図１２】
2014123383.tif 000014
【図１３】
2014123383.tif 000015